(57)【要約】【課題】破砕処理効率を低下させることなく、長尺の被破砕物が破砕刃によって破砕されずにそのまま排出孔から排出されてしまうことを防止することができる二軸剪断式破砕機を提供すること。【解決手段】スペーサ４を介して破砕刃３を取り付けた一対の回転軸２を、相互の破砕刃３同士が噛み合うように対向して軸支し、被破砕物Ｗの排出孔５１を形成したスクリーン５を破砕刃３の回転軌跡の外周に沿うように配設した二軸剪断式破砕機１において、被破砕物Ｗの排出孔５１を、スクリーン５の回転軸２、破砕刃３及びスペーサ４の平面投影範囲内のみに形成する。【選択図】図３
2018176083.tif 000002
【特許請求の範囲】
【請求項１】
スペーサを介して破砕刃を取り付けた一対の回転軸を、相互の破砕刃同士が噛み合うように対向して軸支し、被破砕物の排出孔を形成したスクリーンを破砕刃の回転軌跡の外周に沿うように配設した二軸剪断式破砕機において、前記被破砕物の排出孔を、スクリーンの回転軸、破砕刃及びスペーサの平面投影範囲内のみに形成したことを特徴とする二軸剪断式破砕機。
【請求項２】
前記前記被破砕物の排出孔が、直径５０〜１００ｍｍの円形孔からなり、排出孔を形成した部分のスクリーンの開口率が、４０〜６０％にしてなることを特徴とする請求項１に記載の二軸剪断式破砕機。
【発明の詳細な説明】
【技術分野】
【０００１】
本発明は、一般廃棄物や産業廃棄物等の破砕処理に用いられる二軸剪断式破砕機に関し、特に、長尺の被破砕物の破砕処理に用いられる二軸剪断式破砕機に関するものである。
【背景技術】
【０００２】
従来、一般廃棄物や産業廃棄物等の破砕処理を行うために、スペーサを介して破砕刃を取り付けた一対の回転軸を、相互の破砕刃同士が噛み合うように対向して軸支し、被破砕物の排出孔を形成したスクリーンを破砕刃の回転軌跡の外周に沿うように配設した二軸剪断式破砕機が汎用されている（例えば、特許文献１〜２参照。）。
【先行技術文献】
【特許文献】
【０００３】
【特許文献１】特開２０１５−７１１３２号公報
【特許文献２】特開２００４−２６７９４４号公報
【発明の概要】
【発明が解決しようとする課題】
【０００４】
ところで、上記従来の二軸剪断式破砕機において、被破砕物の排出部に設けられるスクリーンは、円形孔や格子の目からなる被破砕物の排出孔が全面に形成されているため（図９（ｂ）に示すスクリーン板５０参照。）、長尺の被破砕物の破砕処理を行った場合、長尺の被破砕物が二軸剪断式破砕機の破砕室に縦方向に装入されると、破砕室の筺体と回転軸、破砕刃及びスペーサとの隙間を通って、破砕刃によって破砕されずにそのまま排出孔から排出されてしまうことがあるという問題があった。
【０００５】
なお、この問題に対処するために被破砕物の排出孔の大きさを小さく設定することも考えられるが、この場合、必要以上に被破砕物の破砕処理を行うこととなって、破砕処理効率が低下し、実用的でなくなるという問題があった。
【０００６】
本発明は、上記二軸剪断式破砕機の有する問題点に鑑み、破砕処理効率を低下させることなく、長尺の被破砕物が破砕刃によって破砕されずにそのまま排出孔から排出されてしまうことを防止することができる二軸剪断式破砕機を提供することを目的とする。
【課題を解決するための手段】
【０００７】
上記目的を達成するため、本発明の二軸剪断式破砕機は、スペーサを介して破砕刃を取り付けた一対の回転軸を、相互の破砕刃同士が噛み合うように対向して軸支し、被破砕物の排出孔を形成したスクリーンを破砕刃の回転軌跡の外周に沿うように配設した二軸剪断式破砕機において、前記被破砕物の排出孔を、スクリーンの回転軸、破砕刃及びスペーサの平面投影範囲内のみに形成したことを特徴とする。
【０００８】
この場合において、前記被破砕物の排出孔が、直径５０〜１００ｍｍの円形孔からなり、排出孔を形成した部分のスクリーンの開口率が、４０〜６０％にしてなることができる。
【発明の効果】
【０００９】
本発明の二軸剪断式破砕機によれば、被破砕物の排出孔を、スクリーンの回転軸、破砕刃及びスペーサの平面投影範囲内のみに形成するようにしているので、長尺の被破砕物が二軸剪断式破砕機の破砕室に縦方向に装入されても、破砕室の筺体と回転軸、破砕刃及びスペーサとの隙間を通ってスクリーンの位置に達した被破砕物は、スクリーンの排出孔が形成されていないスクリーン閉塞部で受け止められ、確実に破砕刃によって破砕することができ、破砕刃によって破砕されずにそのまま排出孔から排出されてしまうことを防止することができる。
【００１０】
また、前記被破砕物の排出孔が、直径５０〜１００ｍｍの円形孔からなり、排出孔を形成した部分のスクリーンの開口率が、４０〜６０％にしてなることにより、破砕処理効率を低下させることなく、長尺の被破砕物が破砕刃によって破砕されずにそのまま排出孔から排出されてしまうことを防止することができる。
【図面の簡単な説明】
【００１１】
【図１】本発明の二軸剪断式破砕機の一実施例を示す平面図である。
【図２】同正面図である。
【図３】同側面断面図である。
【図４】同正面断面図（図３のＡ−Ａ断面図）である。
【図５】同二軸剪断式破砕機のスクリーンを示す平面図である。
【図６】同正面図である。
【図７】同側面断面図である。
【図８】同正面断面図（図７のＢ−Ｂ断面図）である。
【図９】同二軸剪断式破砕機のスクリーンのスクリーン板を示す平面図で、（ａ）は実施例のもの、（ｂ）は従来のものである。
【発明を実施するための形態】
【００１２】
以下、本発明の二軸剪断式破砕機の実施の形態を、図面に基づいて説明する。
【００１３】
図１〜図９に、本発明の二軸剪断式破砕機の一実施例を示す。
この二軸剪断式破砕機１は、スペーサ４を介して破砕刃３を取り付けた一対の回転軸２を、相互の破砕刃３同士が噛み合うように対向して軸支し、被破砕物の排出孔５１を形成したスクリーン５を破砕刃３の回転軌跡の外周に沿うように配設した二軸剪断式破砕機１において、被破砕物の排出孔５１を、スクリーン５の回転軸２、破砕刃３及びスペーサ４の平面投影範囲内のみに形成するようにしている。
【００１４】
これにより、スクリーン５の回転軸２、破砕刃３及びスペーサ４の平面投影範囲外は、被破砕物の排出孔５１を形成しないスクリーン閉塞部５２となる。
より具体的には、長尺の被破砕物Ｗが二軸剪断式破砕機の破砕室に縦方向に装入される場合に、図３に示すように、若干斜めに装入されることがあることを考慮して、平面投影範囲外に隣接する平面投影範囲内の若干部分を、安全代として、被破砕物の排出孔５１を形成しないスクリーン閉塞部５２とするようにしている。
【００１５】
ここで、スクリーン５には、従来から汎用されている各種形態のものを用いることができるが、スクリーン板５０に円形孔や格子の目からなる被破砕物の排出孔５１が形成されたものを好適に用いることができる。
【００１６】
スクリーン５に形成する被破砕物の排出孔５１は、直径５０〜１００ｍｍ（本実施例においては、８０ｍｍ）の円形孔からなり、排出孔５１を形成した部分（開口部５１Ａ。スクリーン板５０のスクリーン閉塞部５２を除いた部分）のスクリーン５の開口率が、４０〜６０％（本実施例においては、５０％）になるようにすることが好ましい。
これにより、破砕処理効率を低下させることなく、長尺の被破砕物Ｗが破砕刃３によって破砕されずにそのまま排出孔５１から排出されてしまうことを防止することができる。
【００１７】
なお、本実施例においては、スクリーン５を固定構造としたが、例えば、可動構造として、被破砕物に長尺の被破砕物Ｗが含まれない場合は、スクリーン５を外して被破砕物の破砕処理を行うことが可能となるようにしたり、スクリーン５のスクリーン板５０に、排出孔５１が全面に形成されてもの（図９（ｂ））を用い、被破砕物に長尺の被破砕物Ｗが含まれる場合は、スクリーン板５０に形成された排出孔５１の一部を他の板部材（図示省略）で塞いでスクリーン閉塞部５２を構成することで、実質的に、被破砕物の排出孔５１を、スクリーン５の回転軸２、破砕刃３及びスペーサ４の平面投影範囲内のみに形成するようにすることもできる。
【００１８】
この二軸剪断式破砕機１によれば、スクリーン５の被破砕物の排出孔５１を、スクリーン５の回転軸２、破砕刃３及びスペーサ４の平面投影範囲内のみに形成するようにしているので、長尺の被破砕物Ｗが二軸剪断式破砕機１の破砕室１０に縦方向に装入されても、破砕室１０の筺体と回転軸２、破砕刃３及びスペーサ４との隙間を通ってスクリーン５の位置に達した被破砕物Ｗは、スクリーン５の排出孔５１が形成されていないスクリーン閉塞部５２で受け止められ、確実に破砕刃３によって破砕することができ、長尺の被破砕物Ｗが破砕刃３によって破砕されずにそのまま排出孔５１から排出されてしまうことを防止することができる。
【００１９】
以上、本発明の二軸剪断式破砕機について、その実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の二軸剪断式破砕機は、破砕処理効率を低下させることなく、長尺の被破砕物が破砕刃によって破砕されずにそのまま排出孔から排出されてしまうことを防止することができることから、長尺の被破砕物の破砕処理に用いられる二軸剪断式破砕機の用途に好適に用いることができるほか、一般の二軸剪断式破砕機の用途にも用いることができる。
【符号の説明】
【００２１】
１  二軸剪断式破砕機
２  回転軸
３  破砕刃
４  スペーサ
５  スクリーン
５０  スクリーン板
５１  排出孔
５２  スクリーン閉塞部
Ｗ  被破砕物
【図１】
2018176083.tif 000003
【図２】
2018176083.tif 000004
【図３】
2018176083.tif 000005
【図４】
2018176083.tif 000006
【図５】
2018176083.tif 000007
【図６】
2018176083.tif 000008
【図７】
2018176083.tif 000009
【図８】
2018176083.tif 000010
【図９】
2018176083.tif 000011